(57)【要約】【課題】  休日や夜間の排紙量を監視し、排紙つまりによるジャムを防ぐ画像形成装置を提供する。【解決手段】  画像情報を記憶する画像メモリ２０と、排紙量を検知し、画像情報に基づき排紙を行うプロッタ１５と、装置全体を制御する制御部１１とを有する画像形成装置であって、前記制御部１１は時刻情報を制御することで計時機能を有し、前記プロッタ１５は、所定量を超える排紙量を検知したとき、所定の期間中排紙を停止することを特徴とする。【選択図】  図１
2005159798.tif 000002
【特許請求の範囲】
【請求項１】
画像情報を記憶する画像記憶手段と、
排紙量を検知し、画像情報に基づき排紙を行う出力手段と、
装置全体を制御する制御手段とを有する画像形成装置であって、
前記制御手段は時刻情報を制御することで計時機能を有し、
前記出力手段は、所定量を超える排紙量を検知したとき、所定の期間中排紙を停止することを特徴とする画像形成装置。
【請求項２】
操作者の入力を受け付け、所定の情報を表示する操作手段を有し、
前記出力手段は、所定量を超える排紙量を検知したときでも、操作手段による入力に応じ排紙を行うことを特徴とする請求項１に記載の画像形成装置。
【請求項３】
自身および他の接続先の番号を記憶するパラメータ記憶手段と、
呼の接続を制御する網制御手段を備え、
前記画像記憶手段の画像情報がフルのとき、前記パラメータ記憶手段の自身の接続先の番号を取り出し、前記網制御手段が自身の接続先に発呼制御を行うことを特徴とする請求項２に記載の画像形成装置。
【請求項４】
前記画像記憶手段の画像情報がフルのとき、前記パラメータ記憶手段の他の接続先の番号を取り出し、前記網制御手段が他の接続先に発呼制御を行い、画像情報を送信することを特徴とする請求項３に記載の画像形成装置。
【発明の詳細な説明】
【技術分野】
【０００１】
本発明は、排紙詰まりによるジャムを防止する画像形成装置に関する。
【背景技術】
【０００２】
ファクシミリ装置等の画像形成装置において、休日や夜間において、大量に受信するとき、受信トレイ上に蓄積し、排紙口の前にたまり、出て行かなくなり、ジャムになるという問題がある。
【０００３】
そのため、排紙を効率よく行いジャムを防止するものの一例が特許文献１〜３により開示されている。
【０００４】
特許文献１では、排紙量を検知し、イベントをホスト装置に通知し、ホスト装置の指示により、動作を決定する技術が開示されている。
【０００５】
特許文献２では、排紙量、給紙量を検知し、その障害を通知する技術が開示されている。
【０００６】
特許文献３では、通信回線によるＯＮライン接続で、排紙量の検知によるイベントで他の装置に転送する技術が開示されている。
【特許文献１】特開２０００−２３８３８５号公報
【特許文献２】特開平５−３０１４３０号公報
【特許文献３】特開平８−０８３０２３号公報
【発明の開示】
【発明が解決しようとする課題】
【０００７】
休日や夜間におけるジャムの問題を考えるのであれば、特許文献１〜３のようにジャム自体を監視するよりも、時間によって動作処理を施す方が容易な監視を行える。よって本発明では、時刻に応じて排紙状況を監視する画像形成装置を提供することを目的とする。
【課題を解決するための手段】
【０００８】
上記目的を達成するため、本発明では、画像情報を記憶する画像記憶手段と、排紙量を検知し、画像情報に基づき排紙を行う出力手段と、装置全体を制御する制御手段とを有する画像形成装置であって、前記制御手段は時刻情報を制御することで計時機能を有し、前記出力手段は、所定量を超える排紙量を検知したとき、所定の期間中排紙を停止することを特徴とする。
【０００９】
上記構成をとることにより、ファクシミリ装置において、休日や夜間において、大量に受信するとき、受信トレイ上に蓄積し、排紙口の前にたまり、出て行かなくなり、ジャムになるという問題に対し、休日や夜間（操作者のいない時間）の排紙量を監視し、制御できるので、排紙つまりによるジャムを防ぐことができる。
【００１０】
さらに、操作者の入力を受け付け、所定の情報を表示する操作手段を有し、前記出力手段は、所定量を超える排紙量を検知したときでも、操作手段による入力に応じ排紙を行うことを特徴とする。
【００１１】
上記構成をとることにより、出力を停止解除後の出力が多くなるという問題に対し、排紙量を監視し、制御できるので、休日の排紙つまりによるジャムを防ぐことができる。また、操作者がいる時は、ジャムが起きるまで出力を続けるので、出力が効率よくできる。
【００１２】
さらに、自身および他の接続先の番号を記憶するパラメータ記憶手段と、呼の接続を制御する網制御手段を備え、前記画像記憶手段の画像情報がフルのとき、前記パラメータ記憶手段の自身の接続先の番号を取り出し、前記網制御手段が自身の接続先に発呼制御を行うことを特徴とする。
【００１３】
上記構成をとることにより、メモリフル状態になったとき、応答しないため、代表組の次のＦＡＸで受信できないという問題に対し、接続回線をビジーにすることができるので、回線の代表組がメモリフルで止まっているＦＡＸ以外に着信することができるので、回線の代表組が有効に活用できる。
【００１４】
さらに、前記画像記憶手段の画像情報がフルのとき、前記パラメータ記憶手段の他の接続先の番号を取り出し、前記網制御手段が他の接続先に発呼制御を行い、画像情報を送信することを特徴とする。
【００１５】
上記構成をとることにより、メモリフル状態になったとき、いつまでもメモリフルが解消しないという問題に対し、接続回線をビジーにすることができるので、回線の代表組がメモリフルで止まっているＦＡＸ以外に着信することができるので、回線の代表組が有効に活用できる。また、一定容量を他のＦＡＸに転送するので、次の着信から代表組の一番で受信可能になる。
【発明の効果】
【００１６】
本発明によれば、休日や夜間の排紙量を監視し、制御できるので、排紙つまりによるジャムを防ぐことができる。
【発明を実施するための最良の形態】
【００１７】
以下、本発明を実施するための最良の形態を図面を参照して説明する。
【００１８】
図１は本発明の一実施例を示すファクシミリ装置の構成ブロック図である。図示したように、このファクシミリ装置は、電話モードのとき相手電話機との間で通話を行う電話機１と、電話応答をする音声ＲＯＭ２と、ＬＡＮ回線と接続するＬＡＮ制御部３と、内蔵されたプログラムに従って装置全体を管理し、制御する制御部１１と、操作者がファクシミリ装置に指示を与えるためのキーボードおよびファクシミリ装置から操作者にメッセージ等を伝達するための表示手段などから成る操作部１２と、画情報などを一時的に格納しておくＲＡＭ１３と、原稿上の画像を読み取るスキャナ１４と、符号化復号化部（ＤＣＲ）１８によって復号化された受信画情報をＲＡＭ１３を介して出力するプロッタ１５と、公衆電話網を介して遠隔のファクシミリ装置との間に呼を設定するための網制御装置（ＮＣＵ）１６と、Ｇ３伝送制御手順に従ってファクシミリ送受信を行う通信制御部１７と、低速モデムおよび高速モデムから成るモデム１９と、画情報を蓄積しておく画像メモリ２０と、電源遮断時に備えてバッテリでバックアップされ、設定情報を蓄積するパラメータメモリ２１などを備えている。
【００１９】
図２は、通常受信の制御と動作例を示すフロー図である。回線からの呼び出しを網制御装置１６で受信し（３１）、制御部１１へ通知する（３２）。制御部１１からの指示で通信制御部１７からモデム１９に指示が出て、応答信号を網制御装置１６を介して、回線へ送信する（３３）。相手からの画データは網制御装置１６を通して、モデム１９、通信制御部１７を通り、画像メモリ２０に記録される（３４）。通信が終了する（３７）とデータをパラメータメモリ２１に設定された枚数分プロッタ１５に送り、印字する（３６）。部数分の印字が終了したかカウントし、設定した部数分印字するまで印字を繰り返す（３７）。
【００２０】
図３は、本実施形態で行う制御と動作例を示すフロー図である。以下、図１および図３に基づいてこの実施例の動作を説明する。図３に示したように、受信した文書を出力する時、画像メモリ２０のデータをプロッタ１５に転送したか制御部１１で判断する（４１）。出力していれば終了だが、出力していない場合はプロッタ１５の排紙先検知で排紙先がフルか判断する（４２）。排紙先がフルの時は制御部１１で情報を加工し、ＬＡＮ制御部３からメールで他の装置に通知する。または、操作部１２でアラーム表示する（４３）。制御部１１に内蔵されている時計から時刻情報を検査し、パラメータメモリ２１に蓄積されている出力の時刻指定を確認する（４４）。時刻が休日夜間の時は画像メモリ２２からプロッタ１５へデータを送るのを停止する（４５）。プロッタ１５の排紙先検知で排紙先がフルか判断する（４６）。排紙がフルの時は解除されるまで待つ（４６）。排紙が取り除かれたときはすべて出力したか判断する（４１）に戻る。（４２）で排紙先がフルでないときはすべて出力したか判断する、（４１）に戻る。（４４）で時刻が休日夜間でないときはすべて出力したか判断する、（４１）に戻る。
【００２１】
上記の動作により、休日や夜間（操作者のいない時間）の排紙量を監視し、制御できるので、排紙つまりによるジャムを防ぐことができる。
【００２２】
図４は、本実施形態で行う制御と動作例を示すフロー図である。以下、図１および図４に基づいてこの実施例の動作を説明する。図４に示したように、受信した文書を出力する時、画像メモリ２０のデータをプロッタ１５に転送したか制御部１１で判断する（５１）。出力していれば終了だが、出力していない場合はプロッタ１５の排紙先検知で排紙先がフルか判断する（５２）。排紙先がフルの時は制御部１１で情報を加工し、ＬＡＮ制御部３からメールで他の装置に通知する。または、操作部１２でアラーム表示する（５３）。制御部１１に内蔵されている時計から時刻情報を検査し、パラメータメモリ２１に蓄積されている出力の時刻指定を確認する（５４）。時刻が休日夜間の時は画像メモリ２２からプロッタ１５へデータを送るのを停止する（５５）。プロッタ１５の排紙先検知で排紙先がフルか判断する（５６）。排紙がフルの時は時刻が休日か夜間の判断（５４）に戻る。排紙が取り除かれたときはすべて出力したか判断する、（５１）に戻る。（５２）で排紙先がフルでないときはすべて出力したか判断する、（５１）に戻る。（５４）で時刻が休日夜間でないときはすべて出力したか判断する、（５１）に戻る。
【００２３】
上記の動作により、排紙量を監視し、制御できるので、休日の排紙つまりによるジャムを防ぐことができる。また、操作者がいる時は、ジャムが起きるまで出力を続けるので、出力が効率よくできる。
【００２４】
図５は、本実施形態で行う制御と動作例を示すフロー図である。以下、図１および図５に基づいてこの実施例の動作を説明する。図５に示したように、受信後画像メモリ２０がフルかどうか制御部１１で判断する（６１）。メモリフルだったら、制御部１１でパラメータメモリ２１に格納している電話番号を取り出し、通信制御部１７からモデム１９を通して網制御装置１６から自分の電話番号に発呼する（６２）。回線からのステータスが交換機からのアラームか制御部１１で判断し（６３）、アラームの時は回線を閉結し、また次の発呼できる時間まで、時間待ちする（６５）。アラームでないときは一定時間後タイムアウトし（６４）、また次の発呼できる時間まで、時間待ちする（６５）。
【００２５】
この時に自分の電話番号が代表組の親番だと他のＦＡＸ番号に回されるので、親番の装置の時はビジー用電話番号が代表組の親番とは替えることとする。
【００２６】
上記の動作により接続回線をビジーにすることができるので、回線の代表組がメモリフルで止まっているＦＡＸ以外に着信することができるので、回線の代表組が有効に活用できる。
【００２７】
図６は、本実施形態で行う制御と動作例を示すフロー図である。以下、図１および図６に基づいてこの実施例の動作を説明する。図６に示したように、受信後画像メモリ２０がフルかどうか制御部１１で判断する（７１）。メモリフルだったら、制御部１１でパラメータメモリ２１に格納している電話番号を取り出し、通信制御部１７からモデム１９を通して網制御装置１６から設定された電話番号に発呼する（７２）。画像メモリ２０からデータを取り出し、符号化復号化部１８を経由して通信制御部１７、モデム１９、網制御装置１６から回線へ画情報を送出する（７３）。制御部１１は画像メモリ２０が一定容量になるか判断し（７４）、一定容量になるまで（７３）を繰り返す。一定容量になったら、（７１）に戻り繰り返す。
【００２８】
また、上記動作と並行してＬＡＮ制御部３から他の装置に画情報を送信することもできる。
【００２９】
上記の動作により、接続回線をビジーにすることができるので、回線の代表組がメモリフルで止まっているＦＡＸ以外に着信することができるので、回線の代表組が有効に活用できる。また、一定容量を他のＦＡＸに転送するので、次の着信から代表組の一番で受信可能になる。
【００３０】
なお、上述した実施形態は、本発明を好適に実施するための一例であって、本発明の要旨を変更しない範囲において種々変更されうる。
【産業上の利用可能性】
【００３１】
本発明の画像形成装置を搭載したＭＦＰ、ファクシミリ機能を持った装置、メール装置等の開発が望まれる。
【図面の簡単な説明】
【００３２】
【図１】ファクシミリ装置の構成ブロック図である。
【図２】通常受信の制御と動作例を示すフローである。
【図３】本実施形態で行う制御と動作例を示すフローである。
【図４】本実施形態で行う制御と動作例を示すフローである。
【図５】本実施形態で行う制御と動作例を示すフローである。
【図６】本実施形態で行う制御と動作例を示すフローである。
【符号の説明】
【００３３】
１    電話機
２    音声ＲＯＭ
３    ＬＡＮ制御部
１１    制御部
１２    操作部
１３    ＲＡＭ
１４    スキャナ
１５    プロッタ
１６    網制御装置
１７    通信制御部
１８    符号化復号化部
１９    モデム
２０    画像メモリ
２１    パラメータメモリ
【図１】
2005159798.tif 000003
【図２】
2005159798.tif 000004
【図３】
2005159798.tif 000005
【図４】
2005159798.tif 000006
【図５】
2005159798.tif 000007
【図６】
2005159798.tif 000008